(57)【特許請求の範囲】
【請求項１】
複数本の心線を集合させてなる集合線と、
前記集合線の外周に押え巻きテープを間隙巻きしてなる押え巻き層と、
前記押え巻き層の外周にシールドテープを巻き付けてなるシールド層と、
を備え、
前記押え巻き層は、前記集合線の外周に前記押え巻きテープを間隙巻きしてなる内層と、前記内層の外周に前記押え巻きテープを間隙巻きしてなる外層と、を有し、
前記内層は、前記押え巻きテープと前記押え巻きテープとの間の間隙が１ｍｍ以上テープ幅の２分の１以下となっており、
前記外層は、前記押え巻きテープと前記押え巻きテープとの間の間隙が１ｍｍ以上テープ幅の２分の１以下となっている
ことを特徴とするＬＡＮケーブル。
【請求項２】
前記内層における前記押え巻きテープの巻き方向と前記外層における前記押え巻きテープの巻き方向とが反対となっている
請求項１に記載のＬＡＮケーブル。
【請求項３】
前記押え巻き層は、前記内層における前記押え巻きテープの巻きピッチと前記外層における前記押え巻きテープの巻きピッチとが同一となっている
請求項１又は２に記載のＬＡＮケーブル。
【請求項４】
複数本の心線を集合させてなる集合線と、
前記集合線の外周に押え巻きテープを間隙巻きしてなる押え巻き層と、
前記押え巻き層の外周にシールドテープを巻き付けてなるシールド層と、
を備え、
前記押え巻き層は、前記集合線の外周に１枚の押え巻きテープを間隙巻きしてなると共に、前記押え巻きテープと前記押え巻きテープとの間の間隙が１ｍｍ以上テープ幅の３分の１以下となっている
ことを特徴とするＬＡＮケーブル。
【発明の詳細な説明】
【技術分野】
【０００１】
本発明は、複数本の心線を集合させてなる集合線と、集合線の外周に押え巻きテープを巻き付けてなる押え巻き層と、押え巻き層の外周にシールドテープを巻き付けてなるシールド層と、を備えているＬＡＮケーブルに関する。
【背景技術】
【０００２】
図５に示す通り、従来のＬＡＮケーブル５００は、例えば、複数本の心線５０１を集合させてなる集合線５０２と、集合線５０２の外周に押え巻きテープ５０３を重ね巻きしてなる押え巻き層５０４と、押え巻き層５０４の外周にシールドテープを巻き付けてなるシールド層５０５と、シールド層５０５の外周に編組素線を編み込んでなる編組シールド層５０６と、編組シールド層５０６の外周に樹脂を被覆してなるシース５０７と、を備えている。ＬＡＮケーブル５００を配索するに際して端末部にコネクタを取り付ける場合は、端末部のシース５０７と編組シールド層５０６とシールド層５０５と押え巻き層５０４とを順番に除去する端末処理を施す必要がある。
【先行技術文献】
【特許文献】
【０００３】
【特許文献１】特開２００５−０１８９８８号公報
【特許文献２】特開２００２−２１６５４９号公報
【特許文献３】特開平８−２２７６１８号公報
【特許文献４】特開平８−１８０７４４号公報
【発明の概要】
【発明が解決しようとする課題】
【０００４】
特に、押え巻き層５０４の除去時は、押え巻きテープ５０３を巻き方向と反対の方向に剥き解く必要があるが、従来のＬＡＮケーブル５００では、押え巻きテープ５０３を重ね巻きして押え巻き層５０４を形成しているため、図６に示す通り、一方の端末側（図示左側）では、押え巻きテープ５０３を容易に剥き解くことができるものの、他方の端末側（図示右側）では、重ね巻き部５０８に押え付けられて押え巻きテープ５０３を容易に剥き解くことができない。
【０００５】
従って、本発明の目的は、何れの端末側においても押え巻きテープを容易に剥き解くことができるＬＡＮケーブルを提供することにある。
【課題を解決するための手段】
【０００６】
本発明は、複数本の心線を集合させてなる集合線と、前記集合線の外周に押え巻きテープを間隙巻きしてなる押え巻き層と、前記押え巻き層の外周にシールドテープを巻き付けてなるシールド層と、を備えているＬＡＮケーブルを提供する。
【０００７】
前記押え巻き層は、前記集合線の外周に前記押え巻きテープを間隙巻きしてなる内層と、前記内層の外周に前記押え巻きテープを間隙巻きしてなる外層と、を有していることが望ましい。
【０００８】
前記内層における前記押え巻きテープの巻き方向と前記外層における前記押え巻きテープの巻き方向とが反対となっていることが望ましい。
【０００９】
前記内層は、前記押え巻きテープと前記押え巻きテープとの間の間隙が１ｍｍ以上テープ幅の２分の１以下となっており、前記外層は、前記押え巻きテープと前記押え巻きテープとの間の間隙が１ｍｍ以上テープ幅の２分の１以下となっていることが望ましい。
【００１０】
前記押え巻き層は、前記内層における前記押え巻きテープの巻きピッチと前記外層における前記押え巻きテープの巻きピッチとが同一となっていることが望ましい。
【００１１】
前記押え巻き層は、前記集合線の外周に１枚の押え巻きテープを間隙巻きしてなると共に、前記押え巻きテープと前記押え巻きテープとの間の間隙が１ｍｍ以上テープ幅の３分の１以下となっていても構わない。
【発明の効果】
【００１２】
本発明によれば、何れの端末側においても押え巻きテープを容易に剥き解くことができるＬＡＮケーブルを提供することができる。
【図面の簡単な説明】
【００１３】
【図１】本発明のＬＡＮケーブルの構造を示す断面図である。
【図２】押え巻き層の構造を示す断面図である。
【図３】本発明のＬＡＮケーブルの構造を示す断面図である。
【図４】押え巻き層の構造を示す外観図である。
【図５】従来のＬＡＮケーブルの構造を示す断面図である。
【図６】押え巻き層の構造を示す断面図である。
【発明を実施するための形態】
【００１４】
以下、本発明の実施の形態を添付図面に順って説明する。
【００１５】
［第１の実施の形態］
図１に示す通り、本発明の実施の形態に係るＬＡＮケーブル１００は、少なくとも、複数本の心線１０１を集合させてなる集合線１０２と、集合線１０２の外周に押え巻きテープ１０３を間隙巻きしてなる押え巻き層１０４と、押え巻き層１０４の外周にシールドテープを巻き付けてなるシールド層１０５と、を備えており、更に、シールド層１０５の外周に編組素線を編み込んでなる編組シールド層１０６と、編組シールド層１０６の外周に樹脂を被覆してなるシース１０７と、を備えている。
【００１６】
心線１０１は、例えば、複数本の銅線を撚り合わせてなる導体１０８と、導体１０８の外周にポリエチレン樹脂を押出被覆してなる絶縁層１０９と、を有している。なお、導体１０８は、単線であっても良く、鍍金処理されていても良い。
【００１７】
集合線１０２は、例えば、４本の心線１０１を撚り合わせて形成されている。複数本の心線１０１を撚り合わせることにより、複数本の心線１０１を縦添えする場合と比較して集合線１０２の耐屈曲性・漏話等の電気特性を改善することができる。
【００１８】
押え巻きテープ１０３は、例えば、ポリエチレン樹脂をテープ状に成形して形成されている。押え巻き層１０４は、集合線１０２とシールド層１０５との間の距離を十分に確保することにより、ＬＡＮケーブル１００の電気特性（例えば、反射減衰量、及び／又は特性インピーダンス）を改善する役割を果たしている。なお、テープ幅は、製造効率の観点から１０ｍｍ以上であることが望ましく、製造容易性の観点から２０ｍｍ以下であることが望ましい。
【００１９】
押え巻き層１０４は、集合線１０２の外周に１枚の押え巻きテープ１０３を間隙巻きしてなると共に、押え巻きテープ１０３と押え巻きテープ１０３との間の間隙が１ｍｍ以上テープ幅の３分の１以下となっていることが望ましい（図２を参照）。間隙Ｇが１ｍｍ以上となっている理由は、間隙Ｇを１ｍｍ未満としようとしても、押え巻きテープ１０３を巻き付ける時の機械的公差に起因する重ね巻き部がＬＡＮケーブル１００の長手方向に沿って所々に不可避的に形成されてしまうため、巻き始点の端末側において押え巻きテープ１０３を容易に剥き解くことができなくなる虞があるからである。また、間隙Ｇがテープ幅の３分の１以下となっている理由は、間隙Ｇをテープ幅の３分の１超とすると、間隙Ｇにシールドテープが落ち込み、集合線１０２とシールド層１０５との間の距離を十分に確保することができなくなるため、ＬＡＮケーブル１００の電気特性（例えば、反射減衰量、及び／又は特性インピーダンス）が劣化するからである。
【００２０】
シールドテープとしては、例えば、ポリエチレンテレフタレート樹脂をテープ状に成形してなる基材層と、基材層の表面にアルミニウム箔を貼り付けてなるアルミニウム層と、を有しているアルミニウムテープを使用することができる。
【００２１】
シールド層１０５は、例えば、押え巻き層１０４の外周にシールドテープを重ね巻きして形成されている。シールドテープを重ね巻きすることにより、ケーブル１００の全長に亘って隙間の無いシールド層１０５を形成することができるため、ＬＡＮケーブル１００のシールド特性を十分に担保することができる。
【００２２】
編組素線としては、例えば、銅線を使用することができる。なお、編組素線は、鍍金処理されていても構わない。編組シールド層１０６は、複数本の編組素線を交互に編み込んで形成されている。複数本の編組素線を交互に編み込むことにより、複数本の編組素線を横巻する場合と比較してＬＡＮケーブル１００の屈曲時におけるシールド特性の劣化を効果的に抑制することができる。
【００２３】
シース１０７は、例えば、編組シールド層１０６の外周にポリ塩化ビニル樹脂を押出被覆して形成されている。シース１０７は、ＬＡＮケーブル１００の全体を被覆して保護することにより、ＬＡＮケーブル１００の耐久性（例えば、耐傷性、耐火性、及び／又は耐候性）を改善する役割を果たしている。
【００２４】
以上の通り、ＬＡＮケーブル１００は、集合線１０２とシールド層１０５との間に１枚の押え巻きテープ１０３を間隙巻きしてなる一層構造の押え巻き層１０４を備えているため、図２に示す通り、重ね巻き部５０８が存在せず、何れの端末側においても押え巻きテープ１０３を容易に剥き解くことができる。
【００２５】
［第２の実施の形態］
図３に示す通り、本発明の実施の形態に係るＬＡＮケーブル３００は、ＬＡＮケーブル１００と比較すると、押え巻き層１０４の構造が異なる。具体的には、ＬＡＮケーブル３００では、図４に示す通り、押え巻き層１０４は、集合線１０２の外周に押え巻きテープ１０３を所定の巻き方向に間隙巻きしてなる内層３０１と、内層３０１の外周に押え巻きテープ１０３を反対の巻き方向に間隙巻きしてなる外層３０２と、を有している。即ち、ＬＡＮケーブル３００は、ＬＡＮケーブル１００と比較すると、内層３０１における押え巻きテープ１０３の巻き方向と外層３０２における押え巻きテープ１０３の巻き方向とが反対となっている二層構造の押え巻き層１０４を備えている点が相違している。
【００２６】
ＬＡＮケーブル３００では、ＬＡＮケーブル１００と同様の理由から、内層３０１における押え巻きテープ１０３と押え巻きテープ１０３との間の間隙Ｇが１ｍｍ以上テープ幅の２分の１以下となっており、外層３０２における押え巻きテープ１０３と押え巻きテープ１０３との間の間隙Ｇが１ｍｍ以上テープ幅の２分の１以下となっていることが望ましい。
【００２７】
なお、間隙Ｇの上限値をＬＡＮケーブル１００と同様にテープ幅の３分の１以下とするのでは無く、テープ幅の２分の１以下とする理由は、ＬＡＮケーブル３００では、２枚の押え巻きテープ１０３によって押え巻き層１０４を形成しているため、間隙Ｇにシールドテープが落ち込んでもシールドテープと心線１０１との接触が生じ難く、間隙Ｇの上限値をＬＡＮケーブル１００よりも大きくしても電気特性の劣化が少ないからである。
【００２８】
また、ＬＡＮケーブル３００では、押え巻き層１０４は、内層３０１における押え巻きテープ１０３の巻きピッチと外層３０２における押え巻きテープ１０３の巻きピッチとが同一となっていることが望ましい。これにより、ＬＡＮケーブル３００の長手方向に亘って集合線５０２とシールド層５０５との間の距離を略均一化することができるため、ＬＡＮケーブル３００の電気特性を更に向上させることができる。
【００２９】
ＬＡＮケーブル５００では、重ね巻き部５０８によって集合線５０２とシールド層５０５との間の距離を稼ぐことができるが、ＬＡＮケーブル１００では、重ね巻き部５０８が存在せず、押え巻きテープ１０３の厚さ変更を伴わずに集合線５０２とシールド層５０５との間の距離を従来と同等にすることはできない。
【００３０】
一方、ＬＡＮケーブル３００では、押え巻き層１０４を二層構造としているため、押え巻きテープ１０３の厚さ変更を伴わずに集合線５０２とシールド層５０５との間の距離を従来と同等にすることができ、しかも、内層３０１と外層３０２とが共に押え巻きテープ１０３を間隙巻きして形成されているため、ＬＡＮケーブル１００と同様に重ね巻き部５０８が存在せず、電気特性（例えば、反射減衰量、及び／又は特性インピーダンス）の劣化を抑制しながらも、何れの端末側においても押え巻きテープ１０３を容易に剥き解くことができる。
【００３１】
なお、ＬＡＮケーブル３００では、内層３０１における押え巻きテープ１０３の巻き方向と外層３０２における押え巻きテープ１０３の巻き方向とが反対となっているが、内層３０１における押え巻きテープ１０３の巻き方向と外層３０２における押え巻きテープ１０３の巻き方向とが同一となっていても構わない。巻き方向を同一とする場合は、内層３０１における押え巻きテープ１０３と外層３０２における押え巻きテープ１０３とをずらして巻き付ける。
【実施例】
【００３２】
次に、本発明の具体例を説明する。
【００３３】
［実施例１］
導体サイズが０．７５ｍｍ2である４本の心線を集合させて集合線を形成し、厚さが０．１５ｍｍであると共に幅が１５ｍｍであるプラスチックテープを押え巻きテープに使用し、その押え巻きテープを集合線の外周に５ｍｍの間隙を持って所定の巻き方向に間隙巻きして押え巻き層（内層）を形成し、アルミニウムテープをシールドテープに使用し、そのシールドテープを押え巻き層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００３４】
［実施例２］
導体サイズが０．７５ｍｍ2である４本の心線を集合させて集合線を形成し、厚さが０．１５ｍｍであると共に幅が１５ｍｍであるプラスチックテープを押え巻きテープに使用し、その押え巻きテープを集合線の外周に７ｍｍの間隙を持って所定の巻き方向に間隙巻きして押え巻き層（内層）を形成し、アルミニウムテープをシールドテープに使用し、そのシールドテープを押え巻き層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００３５】
［実施例３］
導体サイズが０．７５ｍｍ2である４本の心線を集合させて集合線を形成し、厚さが０．０５ｍｍであると共に幅が１５ｍｍであるプラスチックテープを押え巻きテープに使用し、その押え巻きテープを集合線の外周に５ｍｍの間隙を持って所定の巻き方向に間隙巻きして押え巻き層の内層を形成し、厚さが０．１ｍｍであると共に幅が１５ｍｍであるプラスチックテープを押え巻きテープに使用し、その押え巻きテープを内層の外周に５ｍｍの間隙を持って同一の巻き方向に間隙巻きして押え巻き層の外層を形成し、アルミニウムテープをシールドテープに使用し、そのシールドテープを外層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００３６】
［実施例４］
導体サイズが０．７５ｍｍ2である４本の心線を集合させて集合線を形成し、厚さが０．０５ｍｍであると共に幅が１５ｍｍであるプラスチックテープを押え巻きテープに使用し、その押え巻きテープを集合線の外周に７．５ｍｍの間隙を持って所定の巻き方向に間隙巻きして押え巻き層の内層を形成し、厚さが０．１ｍｍであると共に幅が１５ｍｍであるプラスチックテープを押え巻きテープに使用し、その押え巻きテープを内層の外周に７．５ｍｍの間隙を持って同一の巻き方向に間隙巻きして押え巻き層の外層を形成し、アルミニウムテープをシールドテープに使用し、そのシールドテープを外層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００３７】
［実施例５］
導体サイズが０．７５ｍｍ2である４本の心線を集合させて集合線を形成し、厚さが０．０５ｍｍであると共に幅が１５ｍｍであるプラスチックテープを押え巻きテープに使用し、その押え巻きテープを集合線の外周に１０ｍｍの間隙を持って所定の巻き方向に間隙巻きして押え巻き層の内層を形成し、厚さが０．１ｍｍであると共に幅が１５ｍｍであるプラスチックテープを押え巻きテープに使用し、その押え巻きテープを内層の外周に１０ｍｍの間隙を持って同一の巻き方向に間隙巻きして押え巻き層の外層を形成し、アルミニウムテープをシールドテープに使用し、そのシールドテープを外層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００３８】
［実施例６］
導体サイズが０．７５ｍｍ2である４本の心線を集合させて集合線を形成し、厚さが０．０５ｍｍであると共に幅が１５ｍｍであるプラスチックテープを押え巻きテープに使用し、その押え巻きテープを集合線の外周に５ｍｍの間隙を持って所定の巻き方向に間隙巻きして押え巻き層の内層を形成し、厚さが０．１ｍｍであると共に幅が１５ｍｍであるプラスチックテープを押え巻きテープに使用し、その押え巻きテープを内層の外周に５ｍｍの間隙を持って反対の巻き方向に間隙巻きして押え巻き層の外層を形成し、アルミニウムテープをシールドテープに使用し、そのシールドテープを外層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００３９】
［実施例７］
導体サイズが０．７５ｍｍ2である４本の心線を集合させて集合線を形成し、厚さが０．０５ｍｍであると共に幅が１５ｍｍであるプラスチックテープを押え巻きテープに使用し、その押え巻きテープを集合線の外周に７．５ｍｍの間隙を持って所定の巻き方向に間隙巻きして押え巻き層の内層を形成し、厚さが０．１ｍｍであると共に幅が１５ｍｍであるプラスチックテープを押え巻きテープに使用し、その押え巻きテープを内層の外周に７．５ｍｍの間隙を持って反対の巻き方向に間隙巻きして押え巻き層の外層を形成し、アルミニウムテープをシールドテープに使用し、そのシールドテープを外層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００４０】
［実施例８］
導体サイズが０．７５ｍｍ2である４本の心線を集合させて集合線を形成し、厚さが０．０５ｍｍであると共に幅が１５ｍｍであるプラスチックテープを押え巻きテープに使用し、その押え巻きテープを集合線の外周に１０ｍｍの間隙を持って所定の巻き方向に間隙巻きして押え巻き層の内層を形成し、厚さが０．１ｍｍであると共に幅が１５ｍｍであるプラスチックテープを押え巻きテープに使用し、その押え巻きテープを内層の外周に１０ｍｍの間隙を持って反対の巻き方向に間隙巻きして押え巻き層の外層を形成し、アルミニウムテープをシールドテープに使用し、そのシールドテープを外層の外周に重ね巻きしてシールド層を形成し、銅素線を編組素線に使用し、その編組素線をシールド層の外周に編み込んで編組シールド層を形成し、編組シールド層の外周にポリ塩化ビニル樹脂を被覆してシースを形成することにより、外径が８．５ｍｍであるＬＡＮケーブルを試作した。
【００４１】
［評価方法］
実施例１乃至８のＬＡＮケーブルの夫々に関して、周波数を１ＭＨｚ以上１００ＭＨｚ以下の範囲として反射減衰量を測定すると共に、ＣＡＴ５Ｅ規格（TIA-568-C.2）を満足するか否かを合否の基準として評価した。なお、基準に達するものに関しては、前述の周波数の全域に亘って反射減衰量の規格値に対するマージンが５ｄＢ以下のものを「良」とすると共に５ｄＢ超のものを「優」とした。また、端末処理性に関しても、ＬＡＮケーブルの何れの端末側においても押え巻きテープを容易に剥き解くことができるか否かを合否の基準として評価した。
【００４２】
【表１】
0006756140.tif 000002
【００４３】
［評価結果］
表１に示す通り、押え巻きテープを間隙巻きしてなる押え巻き層を備えているＬＡＮケーブルは、押え巻きテープを重ね巻きしてなる押え巻き層を備えているＬＡＮケーブルと違い端末処理性に優れていた。特に、押え巻きテープと押え巻きテープとの間の間隙がテープ幅の２分の１以下又はテープ幅の３分の１以下となっているＬＡＮケーブルは、押え巻きテープと押え巻きテープとの間の間隙がテープ幅の２分の１以下又はテープ幅の３分の１以下となっていないＬＡＮケーブルと違い反射減衰量が少なかった。更に、内層における押え巻きテープの巻き方向と外層における押え巻きテープの巻き方向とが反対となっているＬＡＮケーブルは、内層における押え巻きテープの巻き方向と外層における押え巻きテープの巻き方向とが同一となっているＬＡＮケーブルよりも反射減衰量が少なかった。
【符号の説明】
【００４４】
１００  ＬＡＮケーブル
１０１  心線
１０２  集合線
１０３  押え巻きテープ
１０４  押え巻き層
１０５  シールド層
１０６  編組シールド層
１０７  シース
１０８  導体
１０９  絶縁層
３００  ＬＡＮケーブル
３０１  内層
３０２  外層
Ｇ  間隙
【図１】
0006756140.tif 000003
【図２】
0006756140.tif 000004
【図３】
0006756140.tif 000005
【図４】
0006756140.tif 000006
【図５】
0006756140.tif 000007
【図６】
0006756140.tif 000008